(57)【要約】【課題】        製造及び組み立てを容易にするために簡単な構造を有することで、用紙捕獲ローラセットと給紙ローラセットとの干渉を防止するという効果を達成できる給紙装置用駆動ローラ組立体を提供する。【解決手段】    シャフト３００が回転軸に配置された用紙移送のための第１駆動ローラ２１０と、前記シャフト３００上で滑走され、一端に傾斜端４１０が形成された伝送スリーブ４００と、前記シャフト３００上で滑走され、第１一方結合端５１０及び可動端５２０を有する一方結合スリーブ５００と、前記シャフト３００に固定され、前記一方結合スリーブ５００の前記第１一方結合端５１０に対応する第２一方結合端６２０を有する従動ブロック６００と、を含んで給紙装置用駆動ローラ組立体を構成する。【選択図】    図４
0003130032.tif 000002
【実用新案登録請求の範囲】
【請求項１】
シャフトが回転軸に配置された用紙移送のための第１駆動ローラと、
前記シャフト上で滑走され、一端に傾斜端が形成された伝送スリーブと、
前記シャフト上で滑走され、第１一方結合端及び可動端を有する一方結合スリーブと、
前記シャフトに固定され、前記一方結合スリーブの前記第１一方結合端に対応する第２一方結合端を有する従動ブロックと、を含み、
前記傾斜端は、前記第１駆動ローラの回転軸に対して傾斜角を有し、回転軸に沿って前記伝送スリーブの外側に延長される前記傾斜端の一端部には、第１ストッパーが形成され、
前記可動端は、前記傾斜端と滑走可能に接触し、回転軸に沿って前記一方結合スリーブを移動させ、前記伝送スリーブが前記一方結合スリーブを回転駆動するように前記第１ストッパーと結合され、
前記第１一方結合端は、一方向のみに前記第２一方結合端に結合され、前記シャフトは、前記一方結合スリーブを前記従動ブロックに結合することで回転駆動されることを特徴とする給紙装置用駆動ローラ組立体。
【請求項２】
前記一方結合スリーブの前記第１一方結合端は、第１回転方向に前記従動ブロックの前記第２一方結合端に結合され、第１回転方向と反対の第２回転方向に前記第２一方結合端から分離されることを特徴とする請求項１に記載の給紙装置用駆動ローラ組立体。
【請求項３】
前記伝送スリーブが第１回転方向に回転するとき、前記伝送スリーブが、前記可動端の前記傾斜端を加圧して前記一方結合スリーブを前記従動ブロック側に移動させることで、前記第１一方結合端が前記第２一方結合端に結合されることを特徴とする請求項２に記載の給紙装置用駆動ローラ組立体。
【請求項４】
回転軸に沿って前記伝送スリーブの内側に向かう前記傾斜端の端部には、第２ストッパーが形成されることを特徴とする請求項１に記載の給紙装置用駆動ローラ組立体。
【請求項５】
前記第１ストッパーと前記第２ストッパーとの間には、ノッチが形成され、前記傾斜端は、前記ノッチ内に位置することを特徴とする請求項４に記載の給紙装置用駆動ローラ組立体。
【請求項６】
滑走ブロックは、前記可動端から突出されて傾斜端と滑走可能に接触することで、前記第１ストッパーを加圧することを特徴とする請求項１に記載の給紙装置用駆動ローラ組立体。
【請求項７】
前記傾斜端から離隔された前記伝送スリーブの他端部は、第１駆動装置に連結され、前記第１駆動装置によって駆動されることを特徴とする請求項１に記載の給紙装置用駆動ローラ組立体。
【請求項８】
前記第１駆動ローラの回転軸と平行な回転軸を備えており、用紙が連続的に移動されるように、前記第１駆動ローラによって移送された用紙を受けて移送させるための第２駆動ローラをさらに含むことを特徴とする請求項１に記載の給紙装置用駆動ローラ組立体。
【請求項９】
前記第２駆動ローラによって受けられる用紙の先端部が到着したことを検出するために、トリガー要素をさらに含むことを特徴とする請求項８に記載の給紙装置用駆動ローラ組立体。
【請求項１０】
前記伝送スリーブを回転駆動するために設けられる第１駆動要素と、前記第２駆動ローラを回転駆動するために設けられる第２駆動要素と、をさらに含むことを特徴とする請求項８に記載の給紙装置用駆動ローラ組立体。
【考案の詳細な説明】
【技術分野】
【０００１】
本考案は、プリンターまたはスキャナー用給紙装置に関するもので、詳しくは、簡単な機構を有し、用紙詰まりを防止するために用いられる給紙装置用駆動ローラ組立体に関するものである。
【背景技術】
【０００２】
最近、自動文書給送装置の給紙速度が大いに改善された。最初の用紙が完全にスキャニング／印刷された後、二番目の用紙が捕獲されてスキャニング／印刷される場合、２枚の用紙間の時間間隔が非常に大きいため、給紙速度及びスキャニング／印刷速度を効率的に改善することができなかった。したがって、用紙捕獲ローラセットの回転速度と給紙ローラセットの回転速度との連係が重要な問題となった。
【０００３】
一般的に、用紙捕獲ローラセット内の駆動ローラの回転速度は、用紙捕獲ローラセットの給紙速度が給紙ローラセットの給紙速度より低くなるように、給紙ローラセット内の駆動ローラの回転速度より低い。したがって、給紙速度の差によって、２枚の用紙間に所定の時間間隔が存在する。
【０００４】
しかしながら、基準より高いか低い給紙速度は、用紙捕獲ローラセットと給紙ローラセットとの間の干渉をもたらす。すなわち、用紙一枚の先端部が給紙ローラセットに到達するとき、用紙の中間部及び後部は、継続的に用紙捕獲ローラセットの統制下に置かれる。したがって、二つのローラセットは、回転速度差によって互いに干渉し合い、用紙と用紙捕獲ローラセットの駆動ローラとの間に相対的な滑りが生じることで、用紙がくしゃくしゃになるか破れる結果を招く。
【０００５】
よって、給紙速度差による用紙捕獲ローラセットと給紙ローラセットとの間の干渉によって発生する用紙の損傷を防止することが、重要な技術的な課題となっている。
【０００６】
従来技術において、用紙捕獲ローラセットの駆動ローラは、一般的に円筒状または半円筒状に形成される。半円筒状を有する駆動ローラが用紙を捕獲するとき、駆動ローラの半円部の外周縁は、用紙を捕獲するために用紙に接触した状態にある。用紙は、捕獲後に給紙ローラによって移送される。用紙捕獲ローラセットの駆動ローラは、非半円部が用紙と向かい合った状態で停止するので、給紙ローラセットが用紙を受けて移送すると、用紙捕獲ローラセットの駆動ローラは用紙と接触しない。
【０００７】
しかしながら、上記のような設計構造において、駆動ローラの周端部の１／２のみが用紙との接触に用いられるため、用紙を移送する用紙捕獲ローラセットの駆動ローラの距離が制限される。したがって、距離を拡張するためには、駆動ローラの大きさを増加させるか、用紙捕獲ローラセットと給紙ローラセットとが互いに連結されるように、これら二つの部材間の距離を減少させるべきであるが、これも設計上の限界をもたらす。
【０００８】
また、円筒状を有する用紙捕獲ローラセットの駆動ローラの場合、紙を捕獲するとき、用紙捕獲ローラセットと給紙ローラセットとの間の干渉を防止するために、一方クラッチベアリングやスプリングが、駆動ローラをモータなどの駆動装置に連結するのに用いられる。すなわち、用紙捕獲ローラセットによって移送される用紙が給紙ローラセットに到達するとき、用紙捕獲ローラセットの駆動ローラは、用紙捕獲ローラセットと給紙ローラセットとの間の干渉を防止するために空転状態に置かれる。しかしながら、上記のような設計は、複雑であり、組み立てが困難であるという短所を有する。
【考案の開示】
【考案が解決しようとする課題】
【０００９】
従来の用紙捕獲ローラセットにおいては、用紙捕獲ローラセットと給紙ローラセットとの間の干渉を防止するために複雑な構造を有するので、組み立てが困難であり、設計上の制限が非常に多いという問題があった。
【００１０】
本考案は、上記のような問題を解決するためのもので、その目的は、製造及び組み立てを容易にするために簡単な構造を有することで、用紙捕獲ローラセットと給紙ローラセットとの干渉を防止するという効果を達成できる給紙装置用駆動ローラ組立体を提供することにある。
【課題を解決するための手段】
【００１１】
上述した目的を達成するために、本考案は、シャフトを用いて駆動ローラを回転駆動する給紙装置用駆動ローラ組立体を提供する。駆動ローラ組立体は、伝送スリーブ、一方結合スリーブ及び従動ブロックを含む。
【００１２】
伝送スリーブは、シャフト上で滑走し、その一端部上にはノッチが配置され、ノッチには、駆動ローラの回転軸に対して傾斜角を有する傾斜端が形成されている。
【００１３】
一方結合スリーブは、シャフト上で滑走し、伝送スリーブに隣接している。一方結合スリーブは、第１一方結合端及び可動端を有する。可動端は、ノッチ内に挿入され、シャフトの回転軸に沿って一方結合スリーブを移動させるように傾斜端と滑走可能に接触する。また、可動端は、シャフトの接線方向に沿ってノッチ内で前後に移動する。その後、可動端がノッチの一側と結合されることで、伝送スリーブが一方結合スリーブを回転駆動する。
【００１４】
従動ブロックは、シャフトに固定され、一方結合スリーブの第１一方結合端に対応する第２一方結合端を有する。第１一方結合端は、第２一方結合端に一方向のみに結合される。すなわち、第１一方結合端は、第１回転方向に第２一方結合端に結合され、第１回転方向と反対の第２回転方向に第２一方結合端から分離される。
【００１５】
伝送スリーブが第１回転方向に沿って回転するとき、第１一方結合端が第２一方結合端に結合されるように、伝送スリーブは、傾斜端に圧力を加えて一方結合スリーブを従動ブロック側に移動させる。一方、一方結合スリーブが第１回転方向に回転駆動され、従動ブロックとシャフトが第１回転方向に回転駆動されるように、一方結合スリーブの可動端がノッチの一側に圧力を加える。伝送スリーブが回転を中断するが、シャフトが継続的に第１回転方向に回転するか、第１方向に回転するシャフトの回転速度が伝送スリーブの回転速度より高いとき、伝送スリーブは、シャフトと従動ブロックに対して第２回転方向に沿って回転する。このとき、第１一方結合端と第２一方結合端との結合が解除される。したがって、シャフトは、伝送スリーブ及び一方結合スリーブとの干渉なしに独立的に回転する。
【００１６】
本考案の他の適用範囲は、後述の図面に基づく詳細な説明により明らかにする。しかし、技術分野の当業者であれば、詳細な説明を参照して本考案の精神及び範囲に属する多様な変更及び改造を容易に行えるので、本明細書の詳細な説明と特定例は、本考案の好適な実施例を示したものに過ぎないことを理解すべきである。
【００１７】
本考案は、以下の詳細な説明を参照することで一層完全に理解することができ、以下の詳細な説明は、例示のためのものに過ぎないので、本考案を制限することはない。
【考案の効果】
【００１８】
本考案は、用紙捕獲ローラセットと給紙ローラセットとの間の干渉を防止するために、給紙装置の用紙捕獲ローラセットに適用することができる。本考案の構造は、従来の用紙捕獲ローラセットの構造に比べて単純であり、製造及び組み立てが容易である。
【考案を実施するための最良の形態】
【００１９】
本考案に係る駆動ローラ組立体は、プリンター、用紙給送式スキャナーまたは多機能プリンターなどの用紙給送装置に適用されるが、これらに限定されることはない。
【００２０】
図１及び図２は、本考案の一実施例の斜視図及び上面図である。用紙給送装置には、第１駆動ローラ２１０と第２駆動ローラ２２０が互いに平行な回転軸を有して配置されている。
【００２１】
第１駆動ローラ２１０は、用紙給送装置の用紙捕獲ローラセットの一部であり、第２駆動ローラ２２０は、用紙給送装置の従動ローラセットの一部である。第１駆動ローラ２１０は、用紙トレー（図示せず）から用紙７００を一枚ずつ捕獲し、これを第２駆動ローラ２２０に移送するために設けられる。
【００２２】
第２駆動ローラ２２０は、用紙が用紙給送装置の用紙トラックに継続的に移送されるように、第１駆動ローラによって移送された用紙７００を受けて移送するために設けられる。一般的に、第２駆動ローラ２２０の回転速度が第１駆動ローラ２１０の回転速度より高いので、回転速度差によって２枚の用紙間に所定の時間間隔が形成される。用紙７００の先端部が第２駆動ローラ２２０に到達するとき、第１駆動ローラ２１０のための駆動力出力が中断される。
【００２３】
本考案に係る駆動ローラ組立体は、回転軸Ｘを中心に回転する第１駆動ローラ２１０を駆動するために設けられる。第１駆動ローラ２１０の回転軸Ｘには、用紙給送装置の用紙トラック入口に対応する所定位置に第１駆動ローラ２１０を固定するために、シャフトが配置される。駆動ローラ組立体は、伝送スリーブ４００、一方結合スリーブ５００、従動ブロック６００を含んでいる。以下、これに対して一層詳しく説明する。
【００２４】
図３及び図４に示すように、伝送スリーブ４００は、シャフト３００上で滑走し、その一端部には傾斜端４１０が形成され、他端部には傾斜端４１０に対向して従動部４３０が形成される。
【００２５】
傾斜端４１０は、回転軸Ｘに対する傾斜角を有する。回転軸Ｘに沿って伝送スリーブ４００の外側に延長される傾斜端４１０の一端部には、第１ストッパー４２１が形成され、伝送スリーブ４００の内側に延長される傾斜端４１０の他端部には、第２ストッパー４２２が形成される。
【００２６】
第１ストッパー４２１と第２ストッパー４２２との間には、ノッチ４２０が形成され、傾斜端４１０は、ノッチ４２０内に位置する。
【００２７】
従動部４３０は、伝送スリーブ４００が第１駆動ローラ９２０によって駆動されるように、第１駆動装置９２０（例えば、モータ）に連結するためのギアである。
【００２８】
一方結合スリーブ５００は、シャフト３００上で滑走し、第１一方結合端５１０及び可動端５２０を有する。
【００２９】
滑走ブロック５２１は、可動端５２０から突出され、傾斜端４１０と滑走可能に接触して第１ストッパー４２１を加圧する。伝送スリーブ４００が第１回転方向に沿って回転するとき、可動端５２０は、傾斜端４１０に対して滑走し、一方結合スリーブ５００が回転軸Ｘに沿って伝送スリーブ４００から遠ざかるように一方結合スリーブ５００を移動させる。
【００３０】
また、可動端５２０が第１ストッパー４２１と結合され、伝送スリーブ４００が一方結合スリーブ５００を回転駆動するように、第１ストッパー４２１が可動端５２０の滑走ブロック５２１を加圧する。伝送スリーブ４００が第１回転方向と反対の第２回転方向に沿って回転するとき、一方結合スリーブ５００は、解除されて回転しない。
【００３１】
従動ブロック６００は、シャフト３００に固定され、一方結合スリーブ５００の第１一方結合端５１０に対応する第２一方結合端６２０を有する。一方結合スリーブ５００が従動ブロック６００に結合され、シャフト３００を一回転方向のみに回転駆動するように、 第１一方結合端５１０は第２一方結合端６２０に一方向のみに結合される。
【００３２】
具体的に、本考案の実施例において、第１一方結合端５１０は、第１回転方向に第２一方結合端６２０に結合され、第１回転方向と反対の第２回転方向に第２一方結合端６２０から分離される。したがって、一方結合スリーブ５００が第１回転方向に回転するとき、一方結合スリーブ５００は、従動ブロック６００を駆動し、一方結合スリーブ５００が第２回転方向に回転するとき、一方結合スリーブ５００は、従動ブロック６００と一緒に移動しない。
【００３３】
一方結合スリーブ５００が伝送スリーブ４００と一緒に第１方向に回転するとき、図４に示すように、第１一方結合端５１０が第２一方結合端６２０を加圧し、第１一方結合端５１０と第２一方結合端６２０とが第１回転方向に互いに結合されるように、一方結合スリーブ５００は伝送スリーブ４００から分離される。
【００３４】
図２、図３及び図５を参照すると、図５は、第１駆動ローラ２１０と第２駆動ローラ２２０との連係関係を示す。第１駆動装置９２０は、従動部４３０に連結され、追加的に伝送スリーブ４００を回転駆動して一方結合スリーブ５００を移動させる。その結果、一方結合スリーブ５００は、従動ブロック６００に結合されて第１駆動ローラ２１０を回転駆動するようになる。
【００３５】
一方、用紙７００は、第１駆動ローラ２１０によって第２駆動ローラ２２０側に移送される。第２駆動ローラ２２０の前方には、第２駆動ローラによって受けられる用紙７００の先端部が到着したことを検出するためのトリガー要素８００が配置される。用紙７００の先端部がトリガー要素８００によって検出されると、第２駆動装置９４０は、直ぐに動力を出力して第２駆動ローラ２２０を回転駆動する。これと同時に、第１駆動装置９２０は、伝送スリーブ４００の駆動を中断する。
【００３６】
給紙装置において、第２駆動ローラ２２０の給紙速度は、第１駆動ローラ２１０の給紙速度より高くなるか、第２駆動ローラ２２０が用紙７００と接触するとき、第１駆動装置９２０の動作が中断されるべきである。
【００３７】
第１駆動ローラ２１０は、用紙７００によって駆動され、伝送スリーブ４００より速い速度で回転する。これによって、従動ブロック６００は、一方結合スリーブ５００と伝送スリーブ４００に対して第２回転方向に回転する。したがって、従動ブロック６００は、従動ブロック６００の回転が第１駆動装置９２０、伝送スリーブ４００及び一方結合スリーブ５００と干渉しないように、一方結合スリーブ５００に結合されない。
【００３８】
したがって、用紙７００は、第１駆動ローラ２１０より速い給紙速度で第２駆動装置９４０及び第２駆動ローラ２２０を経て給紙装置内に移送される。用紙７００を移送するための第１駆動ローラ２１０と第２駆動ローラ２２０との速度差によって、２枚の用紙間に所定の時間間隔が維持される。
【００３９】
以上、本考案を説明してきたが、本考案が多様な方式で変更されることは明らかである。このような変更は、本考案の精神及び範囲から逸脱してはならなく、技術分野の当業者にとって自明な全ての変更は、実用新案登録請求の範囲に属するものである。
【図面の簡単な説明】
【００４０】
【図１】本考案の一実施例の斜視図である。
【図２】本考案の実施例の上面図である。
【図３】本考案の一実施例の一部を概略的に示す拡大図である。
【図４】本考案の一実施例の一部を概略的に示す拡大図である。
【図５】他の態様による本考案の実施例の上面図である。
【符号の説明】
【００４１】
３００  シャフト
４００  伝送スリーブ
４１０  傾斜端
４２０  ノッチ
４２１  第１ストッパー
４２２  第２ストッパー
４３０  従動部
５００  一方結合スリーブ
５２０  可動端
５２１  滑走ブロック
６００  従動ブロック
９２０  第１駆動装置
【図１】
0003130032.tif 000003
【図２】
0003130032.tif 000004
【図３】
0003130032.tif 000005
【図４】
0003130032.tif 000006
【図５】
0003130032.tif 000007